(57)【要約】【課題】  特定の機器の操作が行われたときに他の機器を連携して動作させる場合において、専用の遠隔操作端末を用いることなく、多様な動作について連携させることができる機器動作連携システム及び機器動作連携装置を提供する。【解決手段】  本発明に係るホームサーバ３０は、ＴＶ受像機２０の動作状態を示す動作状態情報を受信する送受信部３０１と、ＴＶ受像機２０の動作状態である連携元動作状態にビデオレコーダ４０の動作内容である連携先動作内容が対応付けられた動作連携情報を記憶する記憶部３０３と、動作状態情報、及び動作連携情報に基づいて、ビデオレコーダ４０を連携先動作内容にしたがって動作させる制御情報を生成する制御部３０５と、ホームネットワーク１を介して制御情報をビデオレコーダ４０に送信する制御部３０５とを備える。【選択図】  図２
2006101283.tif 000002
【特許請求の範囲】
【請求項１】
遠隔操作端末、第１の機器、第２の機器及び機器動作連携装置を少なくとも含む機器動
作連携システムであって、
前記遠隔操作端末は、前記第１の機器を遠隔操作する無線信号を送信する無線信号送信
部を備え、
前記第１の機器は、
前記遠隔操作端末から前記無線信号を受信する無線信号受信部と、
前記無線信号に基づいて前記第１の機器に所定の動作を実行させる第１制御部と、
前記第１の機器の動作状態を示す動作状態情報を、通信ネットワークを介して前記機器
動作連携装置に送信する動作状態情報送信部と
を備え、
前記機器動作連携装置は、
前記第１の機器から前記動作状態情報を受信する動作状態情報受信部と、
前記第１の機器の動作状態である連携元動作状態に第２の機器の動作内容である連携先
動作内容が対応付けられた動作連携情報を記憶する記憶部と、
前記動作状態情報受信部が受信した前記動作状態情報、及び前記動作連携情報に基づい
て、前記第２の機器を前記連携先動作内容にしたがって動作させる制御情報を生成する制
御情報生成部と、
前記通信ネットワークを介して前記制御情報を前記第２の機器に送信する制御情報送信
部と
を備え、
前記第２の機器は、
前記制御情報を受信する制御情報受信部と、
前記制御情報受信部が受信した前記制御情報に基づいて、前記第２の機器に前記連携先
動作内容にしたがった動作を実行させる第２制御部と
を備えることを特徴とする機器動作連携システム。
【請求項２】
前記連携元動作状態は、少なくとも、前記第１の機器を識別する識別名称と、前記第１
の機器における動作の項目である動作項目と、前記動作項目に対応付けられる条件とによ
って構成されており、
前記連携先動作内容は、少なくとも、前記第２の機器を識別する識別名称と、前記第２
の機器の動作内容とによって構成されていることを特徴とする請求項１に記載の機器動作
連携システム。
【請求項３】
前記連携先動作内容を設定する連携先動作内容設定装置をさらに備えることを特徴とす
る請求項１または２に記載の機器動作連携システム。
【請求項４】
第１の機器の動作状態を示す動作状態情報を受信する動作状態情報受信部と、
前記第１の機器の動作状態である連携元動作状態に第２の機器の動作内容である連携先
動作内容が対応付けられた動作連携情報を記憶する記憶部と、
前記装置受信部が受信した前記動作状態情報、及び前記動作連携情報に基づいて、前記
第２の機器を前記連携先動作内容にしたがって動作させる制御情報を生成する制御情報生
成部と、
通信ネットワークを介して前記制御情報を前記第２の機器に送信する制御情報送信部と
を備えることを特徴とする機器動作連携装置。
【請求項５】
前記連携元動作状態は、少なくとも、前記第１の機器を識別する識別名称と、前記第１
の機器における動作の項目である動作項目と、前記動作項目に対応付けられる条件とによ
って構成されており、
前記連携先動作内容は、少なくとも、前記第２の機器を識別する識別名称と、前記第２
の機器の動作内容とによって構成されていることを特徴とする請求項４に記載の機器動作
連携装置。
【請求項６】
前記連携先動作内容を設定する連携先動作内容設定部をさらに備えることを特徴とする
請求項４または５に記載の機器動作連携装置。
【発明の詳細な説明】
【技術分野】
【０００１】
本発明は、特定の機器の操作が行われた場合、他の機器を連携して動作させる機器動作
連携システム及び機器動作連携装置に関する。
【背景技術】
【０００２】
従来、テレビジョン受像機（ＴＶ受像機）、ビデオレコーダ、及びパーソナルコンピュ
ータ（ＰＣ）などの機器では、無線信号などを用いた遠隔操作端末（リモコン）が広く用
いられている。
【０００３】
このような機器において、ユーザの利便性を向上させるため、リモコンを用いて特定の
機器の操作が行われた場合、他の機器を連携して動作させる技術が開示されている。
【０００４】
例えば、リモコンを用いてＰＣの電源を切断する操作が行われた場合、当該ＰＣと接続
されているＴＶ受像機の電源も切断する技術が開示されている（特許文献１参照）。
【０００５】
具体的には、ＰＣは、電源の切断を要求する赤外線信号（具体的には、赤外線信号に含
まれるコードデータ）をリモコンから受信すると、ＴＶ受像機がＰＣの画像モニタとして
利用されている場合、ＴＶ受像機の電源を切断するコードデータをリモコンに返送する。
次いで、リモコンは、ＰＣから受信した当該コードデータを含む赤外線信号をＴＶ受像機
に送信する。
【特許文献１】特開平１０−１７４１７７号公報（第５−６頁、第５−６図）
【発明の開示】
【発明が解決しようとする課題】
【０００６】
しかしながら、上述した従来の技術には、次のような問題があった。すなわち、遠隔操
作端末（リモコン）には、ＰＣの遠隔操作するためのプログラムと、ＴＶ受像機の遠隔操
作するためのプログラムとを具備しなければならないため、両機器を遠隔操作できる専用
のリモコンが必要となり、リモコンの製造コストが上昇するといった問題や、リモコンの
小型化を阻害するといった問題があった。
【０００７】
また、上述した従来の技術では、他の機器を連携して動作させる動作内容をユーザが自
由に設定することができないといった問題があった。
【０００８】
そこで、本発明は、このような状況に鑑みてなされたものであり、特定の機器の操作が
行われたときに他の機器を連携して動作させる場合において、専用の遠隔操作端末を用い
ることなく、多様な動作について連携させることができる機器動作連携システム及び機器
動作連携装置を提供することを目的とする。
【課題を解決するための手段】
【０００９】
上述した問題を解決するため、本発明は、次のような特徴を有している。まず、本発明
の第１の特徴は、遠隔操作端末（遠隔操作端末１０）、第１の機器（ＴＶ受像機２０）、
第２の機器（ビデオレコーダ４０）及び機器動作連携装置（ホームサーバ３０）を少なく
とも含む機器動作連携システムであって、前記遠隔操作端末が、前記第１の機器を遠隔操
作する無線信号を送信する無線信号送信部（赤外線信号送信部１０５）を備え、前記第１
の機器が、前記遠隔操作端末から前記無線信号を受信する無線信号受信部（赤外線信号受
信部２０１）と、前記無線信号に基づいて前記第１の機器に所定の動作を実行させる第１
制御部（制御部２０５）と、前記第１の機器の動作状態を示す動作状態情報（動作状態情
報Ｄ１）を、通信ネットワーク（ホームネットワーク１）を介して前記機器動作連携装置
に送信する動作状態情報送信部（送受信部２０７）とを備え、前記機器動作連携装置が、
前記第１の機器から前記動作状態情報を受信する動作状態情報受信部（送受信部３０１）
と、前記第１の機器の動作状態である連携元動作状態（連携元動作状態Ｃ１）に第２の機
器の動作内容である連携先動作内容（連携先動作内容Ｃ２）が対応付けられた動作連携情
報（動作連携情報Ｄ２）を記憶する記憶部（記憶部３０３）と、前記動作状態情報受信部
が受信した前記動作状態情報、及び前記動作連携情報に基づいて、前記第２の機器を前記
連携先動作内容にしたがって動作させる制御情報（制御情報Ｄ３）を生成する制御情報生
成部（制御部３０５）と、前記通信ネットワークを介して前記制御情報を前記第２の機器
に送信する制御情報送信部（送受信部３０１及び制御部３０５）とを備え、前記第２の機
器が、前記制御情報を受信する制御情報受信部（受信部４０１）と、前記制御情報受信部
が受信した前記制御情報に基づいて、前記第２の機器に前記連携先動作内容にしたがった
動作を実行させる第２制御部（制御部４０３）とを備えることを要旨とする。
【００１０】
かかる特徴によれば、第１の機器（“連携元”の機器）の動作状態に応じて、第２の機
器（“連携先”の機器）を制御する制御情報が、機器動作連携装置から送信される。
【００１１】
このため、遠隔操作端末は、第１の機器を遠隔操作するための無線信号のみを送信すれ
ばよく、第２の機器を遠隔操作するための無線信号を送信する必要がない。
【００１２】
つまり、遠隔操作端末は、第１の機器のみに対応していればよく、第１の機器と第２の
機器の両機器を遠隔操作できる専用の遠隔操作端末を用いることを回避することができる
。
【００１３】
すなわち、かかる特徴によれば、連携元及び連携先の機器を遠隔操作できる専用のリモ
コンが不要となり、リモコンの製造コストの低減や、リモコンの小型化が容易になる。
【００１４】
本発明の第２の特徴は、本発明の第１の特徴に係り、前記連携元動作状態が、前記第１
の機器を識別する識別名称（名称Ｃ１１）と、前記第１の機器における動作の項目である
動作項目（変数Ｃ１４）と、前記動作項目に対応付けられる条件（条件Ｃ１５）とによっ
て構成されており、前記連携先動作内容が、前記第２の機器を識別する識別名称（名称Ｃ
２１）と、前記第２の機器の動作内容（動作内容Ｃ２４）とによって構成されていること
を要旨とする。
【００１５】
本発明の第３の特徴は、本発明の第１または第２の特徴に係り、前記連携先動作内容を
設定する連携先動作内容設定装置をさらに備えることを要旨とする。
【００１６】
かかる特徴によれば、連携先動作内容を追加したり変更したりすることが可能となるた
め、ユーザは、他の機器を連携して動作させる動作内容を自由に設定することができる。
【００１７】
本発明の第４の特徴は、第１の機器の動作状態を示す動作状態情報を受信する動作状態
情報受信部と、前記第１の機器の動作状態である連携元動作状態に第２の機器の動作内容
である連携先動作内容が対応付けられた動作連携情報を記憶する記憶部と、前記装置受信
部が受信した前記動作状態情報、及び前記動作連携情報に基づいて、前記第２の機器を前
記連携先動作内容にしたがって動作させる制御情報を生成する制御情報生成部と、通信ネ
ットワークを介して前記制御情報を前記第２の機器に送信する制御情報送信部とを備える
機器動作連携装置であることを要旨とする。
【００１８】
本発明の第５の特徴は、本発明の第４の特徴に係り、前記連携元動作状態が、少なくと
も、前記第１の機器を識別する識別名称と、前記第１の機器における動作の項目である動
作項目と、前記動作項目に対応付けられる条件とによって構成されており、前記連携先動
作内容が、少なくとも、前記第２の機器を識別する識別名称と、前記第２の機器の動作内
容とによって構成されていることを要旨とする。
【００１９】
本発明の第６の特徴は、本発明の第４または第５の特徴に係り、前記連携先動作内容を
設定する連携先動作内容設定部をさらに備えることを要旨とする。
【発明の効果】
【００２０】
本発明の特徴によれば、特定の機器の操作が行われたときに他の機器を連携して動作さ
せる場合において、専用の遠隔操作端末を用いることなく、多様な動作について連携させ
ることができる機器動作連携システム及び機器動作連携装置を提供することができる。
【発明を実施するための最良の形態】
【００２１】
次に、本発明に係る機器動作連携システムの実施形態の一例について、図面を参照しな
がら説明する。なお、図面は模式的なものであり、各寸法の比率などは現実のものとは異
なることに留意すべきである。したがって、具体的な寸法などは以下の説明を参酌して判
断すべきものである。また、図面相互間においても互いの寸法の関係や比率が異なる部分
が含まれていることは勿論である。
（機器動作連携システムの概略構成）
図１は、本実施形態に係る機器動作連携システムの概略構成を示している。まず、同図
を参照して、本実施形態に係る機器動作連携システムを構成する各機器などの特徴につい
て説明する。
【００２２】
同図に示すように、本実施形態に係る機器動作連携システムは、遠隔操作端末１０、Ｔ
Ｖ受像機２０、ホームサーバ３０、ビデオレコーダ４０、及びホームネットワーク専用端
末５０によって構成されている。
【００２３】
また、ＴＶ受像機２０、ホームサーバ３０、ビデオレコーダ４０及びホームネットワー
ク専用端末５０は、ホームネットワーク１に接続されている。
【００２４】
ホームネットワーク１は、IEEE802.3シリーズなどに準拠した有線ＬＡＮ、またはIEEE8
02.11シリーズなどに準拠した無線ＬＡＮによって構成される通信ネットワークであり、
ＴＶ受像機２０などが設置される住宅の内部をカバーする。なお、ホームネットワーク１
は、他の通信方式（例えば、IEEE1394）に準拠した通信ネットワークであってもよい。
【００２５】
遠隔操作端末１０は、ＴＶ受像機２０を遠隔操作するものである。具体的には、遠隔操
作端末１０は、ＴＶ受像機２０を遠隔操作する赤外線信号（無線信号）を送信し、ＴＶ受
像機２０の電源の投入（Ｏｎ）や切断（Ｏｆｆ）、またはＴＶチャネルの切替えなど（所
定の動作
）を遠隔操作することができる。
【００２６】
ＴＶ受像機２０は、遠隔操作端末１０によって送信される赤外線信号を受信し、当該赤
外線信号に基づいて、電源のＯｎ／Ｏｆｆや放送チャネルの切替えなどの動作を実行する
。ＴＶ受像機２０は、本実施形態において、“第１の機器”を構成する。
【００２７】
さらに、ＴＶ受像機２０は、ＴＶ受像機２０の動作状態を示す動作状態情報Ｄ１（図５
参照）をホームサーバ３０にホームネットワーク１を介して送信する。
【００２８】
ホームサーバ３０は、ＴＶ受像機２０によって送信された動作状態情報Ｄ１、及び内部
に記憶している動作連携情報Ｄ２（図６参照）に基づいて、ビデオレコーダ４０を制御す
る制御情報Ｄ３（図７参照）をビデオレコーダ４０に送信するものである。ホームサーバ
３０は、本実施形態において、“機器動作連携装置”を構成する。
【００２９】
ビデオレコーダ４０は、ホームサーバ３０によって送信された制御情報Ｄ３を受信し、
受信した制御情報Ｄ３に基づいて動作する。ビデオレコーダ４０は、本実施形態において
、“第２の機器”を構成する。
【００３０】
ホームネットワーク専用端末５０は、ホームサーバ３０に対して、各種の設定などを行
う際に用いられる端末である。特に、本実施形態では、ホームネットワーク専用端末５０
は動作連携情報Ｄ２の内容をユーザが設定するために用いられる。
（論理ブロック構成）
図２は、上述した機器動作連携システムの論理ブロック構成を示している。
【００３１】
なお、以下、本発明との関連がある部分について主に説明する。したがって、図２に示
した各機器は、当該機器の機能を実現する上で必須な、図示しない或いは説明を省略した
論理ブロック（電源部など）を備える場合があることに留意されたい。
（１）遠隔操作端末
遠隔操作端末１０は、操作キー部１０１、制御部１０３及び赤外線信号送信部１０５を
有している。
【００３２】
操作キー部１０１は、ユーザによって操作される操作キーなどから構成されており、操
作された内容に応じた信号を制御部１０３に出力するものである。
【００３３】
制御部１０３は、操作キー部１０１によって出力された信号に基づいて、ＴＶ受像機２
０を遠隔操作する情報（コードデータ）を生成するものである。
【００３４】
赤外線信号送信部１０５は、制御部１０３によって生成されたコードデータの内容を含
む赤外線信号（無線信号）を送信するものである。
（２）ＴＶ受像機
ＴＶ受像機２０は、赤外線信号受信部２０１、操作キー部２０３、制御部２０５及び送
受信部２０７を有している。
【００３５】
赤外線信号受信部２０１は、遠隔操作端末１０から赤外線信号（無線信号）を受信する
ものである。また、赤外線信号受信部２０１は、受信した赤外線信号に含まれるコードデ
ータを制御部２０５に出力する。
【００３６】
操作キー部２０３は、ユーザによって操作される操作キー（例えば、放送チャネルや入
力信号の切替キー）などから構成されており、操作された内容に応じた信号を制御部２０
５に出力するものである。
【００３７】
制御部２０５は、操作キー部２０３によって出力された信号に基づいて、放送チャネル
や入力信号の切替え、及びＴＶ受像機２０に表示される画像などを制御するものである。
また、制御部２０５は、赤外線信号受信部２０１によって出力されたコードデータに基づ
いてＴＶ受像機２０に所定の動作を実行させるものであり、本実施形態では、第１制御部
を構成する。
【００３８】
送受信部２０７は、ホームネットワーク１と接続されており、各種の情報を送受するも
のである。特に、本実施形態では、送受信部２０７は、ＴＶ受像機２０の動作状態を示す
動作状態情報Ｄ１を、ホームネットワーク１を介してホームサーバ３０に送信する。送受
信部２０７は、本実施形態において、動作状態情報送信部を構成する。
【００３９】
ここで、図５は、動作状態情報Ｄ１の一例を示している。同図に示すように、動作状態
情報Ｄ１は、対象機器の識別名称、種類、設置位置、変数及び当該変数の値によって構成
されている。
【００４０】
なお、“変数”とは、対象機器が取り得る動作の項目である“動作項目”を示している
。例えば、図５に示すように、変数“電源（Ｐｏｗｅｒ）”の取り得る値は、“Ｏｎ”ま
たは“Ｏｆｆ”となる。
（３）ホームサーバ
ホームサーバ３０は、送受信部３０１、記憶部３０３及び制御部３０５を有している。
【００４１】
送受信部３０１は、ホームネットワーク１と接続されており、各種の情報を送受するも
のである。特に、本実施形態では、送受信部３０１は、ＴＶ受像機２０から動作状態情報
Ｄ１を受信するものであり、動作状態情報受信部を構成する。
【００４２】
記憶部３０３は、ＴＶ受像機２０の動作状態である連携元動作状態Ｃ１（図６参照）に
ビデオレコーダ４０の動作内容である連携先動作内容Ｃ２（図６参照）が対応付けられた
動作連携情報Ｄ２を記憶するものである。さらに、記憶部３０３は、動作の連携が可能な
機器の情報によって構成される機器データベースＤＢ１（図８参照）を記憶するものであ
る。
【００４３】
具体的には、記憶部３０３は、図６に示すような動作連携情報Ｄ２を記憶する。図６は
、動作連携情報Ｄ２の一例を示している。同図に示すように、動作連携情報Ｄ２は、連携
元の機器の動作状態を示す連携元動作状態Ｃ１に、連携先の動作内容を示す連携先動作内
容Ｃ２が対応付けられている。
【００４４】
連携元動作状態Ｃ１は、少なくとも、連携元の機器（第１の機器）を識別する名称Ｃ１
１（識別名称）と、当該連携元の機器における動作の項目である変数Ｃ１４（動作項目）
と、変数Ｃ１４に対応付けられる条件Ｃ１５とによって構成されている。
【００４５】
また、本実施形態では、連携元動作状態Ｃ１は、さらに、連携元の機器の種類を示す種
類Ｃ１２と、連携元の機器の設置位置を示す設置位置Ｃ１３とを含んでいる。
【００４６】
連携先動作内容Ｃ２は、少なくとも、連携先の機器（第２の機器）を識別する名称Ｃ２
１（識別名称）と、連携先の機器の動作内容Ｃ２４とによって構成されている。
【００４７】
また、本実施形態では、連携先動作内容Ｃ２は、さらに、連携先の機器の種類を示す種
類Ｃ２２と、連携先の機器の設置位置を示す設置位置Ｃ２３とを含んでいる。なお、動作
連携情報Ｄ２を用いた具体的な動作については、後述する。
【００４８】
また、ＴＶ受像機２０やビデオレコーダ４０がホームネットワーク１に接続されたこと
がホームサーバ３０に通知されると、記憶部３０３に記憶されている機器データベースＤ
Ｂ１（図８参照）のうち、各機器に必要な内容が当該機器に送信される。
【００４９】
制御部３０５は、ホームサーバ３０を構成する各論理ブロックを制御するものである。
また、制御部３０５は、送受信部３０１が受信した動作状態情報Ｄ１、及び動作連携情報
Ｄ２に基づいて、ビデオレコーダ４０を連携先動作内容Ｃ２にしたがって動作させる制御
情報Ｄ３を生成するものである。制御部３０５は、本実施形態において、制御情報生成部
を構成する。
【００５０】
具体的には、制御部３０５は、図７に示すような制御情報Ｄ３を生成する。図７は、制
御情報Ｄ３の一例を示している。同図に示すように、制御情報Ｄ３は、連携先の機器、つ
まり、制御の対象となる機器のＩＤ、種類、設置位置、及び動作内容によって構成されて
いる。
【００５１】
また、制御部３０５は、ホームネットワーク１を介して制御情報Ｄ３をビデオレコーダ
４０に送信するものである。本実施形態では、送受信部３０１と制御部３０５によって、
制御情報送信部を構成する。
（４）ビデオレコーダ
ビデオレコーダ４０は、受信部４０１及び制御部４０３を有している。受信部４０１は
、ホームネットワーク１と接続されており、ホームネットワーク１に接続されている機器
から各種情報を受信するものである。特に、本実施形態では、受信部４０１は、ホームサ
ーバ３０によって送信された制御情報Ｄ３を受信するものであり、制御情報受信部を構成
する。
【００５２】
制御部４０３は、受信部４０１が受信した制御情報Ｄ３に基づいて、ビデオレコーダ４
０に連携先動作内容Ｃ２（図６参照）にしたがった動作を実行させるものであり、第２制
御部を構成する。
【００５３】
具体的には、制御部４０３は、制御情報Ｄ３に含まれる動作内容（例えば、図７に示す
ように、ビデオの再生（Ｐｌａｙ））にしたがって、ビデオレコーダ４０の動作を実行す
る。
（５）ホームネットワーク専用端末
ホームネットワーク専用端末５０は、上述したように、動作連携情報Ｄ２の内容をユー
ザが設定するために用いられる。具体的には、ホームネットワーク専用端末５０は、動作
連携情報Ｄ２に含まれる連携先動作内容Ｃ２を設定するものであり、連携先動作内容設定
装置を構成する。
【００５４】
ホームネットワーク専用端末５０は、送受信部５０１、表示部５０３、操作キー部５０
５及び設定部５０７を有している。
【００５５】
送受信部５０１は、ホームネットワーク１と接続されており、ホームサーバ３０と各種
情報を送受するものである。具体的には、送受信部５０１は、ホームサーバ３０によって
送信される機器データベースＤＢ１（図８参照）や動作連携情報Ｄ２を受信したり、ユー
ザによって追加や変更された動作連携情報Ｄ２をホームサーバ３０に送信したりするもの
である。
【００５６】
表示部５０３は、送受信部５０１が受信した機器データベースＤＢ１や動作連携情報Ｄ
２の内容などを表示するものであり、本実施形態では、小型の液晶表示器によって構成さ
れている。
【００５７】
操作キー部５０５は、ユーザによって操作される操作キーなどから構成されており、操
作された内容に応じた信号を設定部５０７に出力するものである。
【００５８】
設定部５０７は、操作キー部５０５によって出力された信号に基づいて、動作連携情報
Ｄ２の内容を追加したり、変更したりするものである。
（機器動作連携システムの動作）
次に、上述した機器動作連携システムの動作について説明する。図３は、機器動作連携
システムによる機器の連携動作のシーケンスを示している。
【００５９】
ステップＳ１０において、遠隔操作端末１０は、ユーザによって指定された操作内容を
検知する。ここでは、ＴＶ受像機２０の電源を“Ｏｎ”にする操作が指定されたものとす
る。
【００６０】
ステップＳ２０において、遠隔操作端末１０は、指定された操作内容に基づいて、電源
を“Ｏｎ”にするコードデータを生成する。
【００６１】
ステップＳ３０において、遠隔操作端末１０は、生成したコードデータが含まれる赤外
線信号をＴＶ受像機２０に送信する。
【００６２】
ステップＳ４０において、ＴＶ受像機２０は、遠隔操作端末１０によって送信された赤
外線信号に含まれるコードデータに基づいて動作を実行、具体的には、ＴＶ受像機２０の
電源を“Ｏｎ”にする。
【００６３】
ステップＳ５０において、ＴＶ受像機２０は、動作状態が、電源“Ｏｆｆ”から電源“
Ｏｎ”に変化したことに伴い、ＴＶ受像機２０の動作状態を示す動作状態情報Ｄ１（図５
参照）をホームサーバ３０に送信する。
【００６４】
ステップＳ６０において、ホームサーバ３０は、ＴＶ受像機２０によって送信された動
作状態情報Ｄ１に基づいて、制御部３０５に記憶されている動作連携情報Ｄ２を参照する
。
【００６５】
ここで、図６に示すように、動作連携情報Ｄ２には、連携元動作状態Ｃ１として、ＴＶ
受像機２０（テレビ）の電源（Ｐｏｗｅｒ）が“Ｏｎ”に変化したことが規定されている
。また、連携元動作状態Ｃ１には、連携先動作内容Ｃ２として、「ビデオレコーダ４０（
ビデオ）の電源を同様に“Ｏｎ”する」ことが対応付けられている。
【００６６】
ステップＳ７０において、ホームサーバ３０は、受信した動作状態情報Ｄ１、及び動作
連携情報Ｄ２に基づいて、ビデオレコーダ４０を連携先動作内容Ｃ２にしたがって動作を
実行させる制御情報Ｄ３を生成する。
【００６７】
ステップＳ８０において、ホームサーバ３０は、生成した制御情報Ｄ３をビデオレコー
ダ４０に送信する。
【００６８】
ステップＳ９０において、ビデオレコーダ４０は、ホームサーバ３０によって送信され
た制御情報Ｄ３に基づいて動作を実行、具体的には、ビデオレコーダ４０の電源を“Ｏｎ
”にする。
【００６９】
次に、ユーザが、ホームネットワーク専用端末５０（以下、“ＨＮ専用端末５０”とい
う）を用いて、動作連携情報Ｄ２の内容を設定する場合の動作フローについて説明する。
図４は、動作連携情報Ｄ２の内容を設定する場合の動作フローを示している。
【００７０】
同図に示すように、ステップＳ１１０において、ＨＮ専用端末５０は、動作の連携が可
能な機器リストをホームサーバ３０から取得する。
【００７１】
ステップＳ１２０において、ＨＮ専用端末５０は、ホームサーバ３０から取得した機器
リストの内容を表示する。
【００７２】
ステップＳ１３０において、ユーザは、当該リストに含まれる機器の中から、動作連携
情報Ｄ２の内容を設定する“連携元”の機器を、ＨＮ専用端末５０（操作キー部５０５）
を用いて選択する。
【００７３】
ステップＳ１４０において、ＨＮ専用端末５０は、ユーザによって選択された“連携元
”の機器の変数リストを取得する。具体的には、ＨＮ専用端末５０は、図８に示すような
機器データベースＤＢ１に含まれる“変数”をホームサーバ３０から取得する。
【００７４】
次いで、図４に示すように、ステップＳ１５０において、ＨＮ専用端末５０は、ホーム
サーバ３０から取得した変数リストを表示する。
【００７５】
ステップＳ１６０において、ユーザは、設定するべき変数を、ＨＮ専用端末５０（操作
キー部５０５）を用いて選択する。
【００７６】
ステップＳ１７０において、ＨＮ専用端末５０は、ユーザによって選択された変数の取
り得る値（図８の“変数（値）”）をホームサーバ３０から取得する。
【００７７】
ステップＳ１８０において、ＨＮ専用端末５０は、ホームサーバ３０から取得した当該
変数の取り得る値を表示する。
【００７８】
ステップＳ１９０において、ユーザは、設定するべき条件を、ＨＮ専用端末５０（操作
キー部５０５）を用いて選択する。例えば、ユーザは、変数の取り得る値として、機器デ
ータベースＤＢ１（図８参照）に示すように、放送チャネル（ｃｈａｎｎｅｌ）の値（１
〜１２）や、入力（Ｉｎｐｕｔ）の値（ｔｖ／ｖｉｄｅｏ１／ｖｉｄｅｏ２）などを選択
することができる。
【００７９】
ステップＳ２００において、ＨＮ専用端末５０は、ステップＳ１９０において選択され
た条件に対応付けられる“連携先”の機器リストを表示する。
【００８０】
ステップＳ２１０において、ユーザは、連携先の機器を、ＨＮ専用端末５０（操作キー
部５０５）を用いて選択する。
【００８１】
ステップＳ２２０において、ＨＮ専用端末５０は、ユーザによって選択された“連携先
”の機器の動作内容リストを取得する。具体的には、ＨＮ専用端末５０は、機器データベ
ースＤＢ１に含まれる“動作内容”のリストをホームサーバ３０から取得する。
【００８２】
ステップＳ２３０において、ＨＮ専用端末５０は、ホームサーバ３０から取得した“動
作内容”のリストを表示する。
【００８３】
ステップＳ２４０において、ユーザは、連携元の機器と、連携先の機器とにおいて連携
させる動作内容を、ＨＮ専用端末５０（操作キー部５０５）を用いて選択する。
【００８４】
ステップＳ２５０において、ＨＮ専用端末５０は、さらに連携させる動作があるか否か
を確認する。
【００８５】
さらに連携させる動作がない場合（ステップＳ２５０のＮＯ）、ステップＳ２６０にお
いて、ＨＮ専用端末５０は、ステップＳ２４０において選択された動作内容が反映された
動作連携情報Ｄ２を保存する。また、ＨＮ専用端末５０は、保存した動作連携情報Ｄ２を
ホームサーバ３０に送信する。
【００８６】
一方、さらに連携させる動作がある場合（ステップＳ２５０のＮＯ）、ＨＮ専用端末５
０は、ステップＳ２００からの処理を繰り返す。
（作用・効果）
以上説明した本実施形態に係る機器動作連携システムによれば、ＴＶ受像機２０（“連
携元”の機器）の動作状態に応じて、ビデオレコーダ４０（“連携先”の機器）を制御す
る制御情報Ｄ３が、ホームサーバ３０から送信される。
【００８７】
このため、遠隔操作端末１０は、ＴＶ受像機２０を遠隔操作するための赤外線信号のみ
を送信すればよく、ビデオレコーダ４０を遠隔操作するための赤外線信号を送信する必要
がない。
【００８８】
つまり、遠隔操作端末１０は、ＴＶ受像機２０のみに対応していればよく、ＴＶ受像機
２０とビデオレコーダ４０の両機器を遠隔操作できる専用の遠隔操作端末を用いることを
回避することができる。
【００８９】
すなわち、本実施形態に係る機器動作連携システムによれば、連携元及び連携先の機器
を遠隔操作できる専用の遠隔操作端末（リモコン）が不要となり、遠隔操作端末の製造コ
ストの低減や、遠隔操作端末の小型化が容易になる。
【００９０】
また、本実施形態に係る機器動作連携システムによれば、動作連携情報Ｄ２に含まれる
連携先動作内容Ｃ２を追加したり変更したりすることが可能となるため、ユーザは、連携
先動作内容Ｃ２を自由に設定することができる。
（その他の実施形態）
上述したように、本発明の一実施形態を通じて本発明の内容を開示したが、この開示の
一部をなす論述及び図面は、本発明を限定するものであると理解すべきではない。この開
示から当業者には様々な代替実施の形態が明らかとなろう。
【００９１】
例えば、上述した本発明の実施形態では、ＴＶ受像機２０及びビデオレコーダ４０を例
として説明したが、本発明は、他の機器にも勿論適用することができる。
【００９２】
具体的には、通信機能などを具備する照明機器６１，６２（図１参照）をホームネット
ワーク１に接続することができる。なお、照明機器６１，６２は、動作の連携に関して、
ビデオレコーダ４０と同様の論理ブロック構成（図２参照）を有している。
【００９３】
また、照明機器６１，６２の機器データベースとしては、機器データベースＤＢ１（図
８参照）に示されるような内容（ＩＤ００３の行）を規定することができる。
【００９４】
このような構成を用いることによって、例えば、照明機器６１が点灯した場合、照明機
器６２が連携して点灯する動作を実行させることができる。
【００９５】
また、上述した本発明の実施形態に係る遠隔操作端末１０（赤外線信号送信部１０５）
及びＴＶ受像機２０（赤外線信号受信部２０１）では、赤外線信号が用いられていたが、
赤外線信号に代えて、他の無線信号（例えば、準マイクロ波）を用いてもよい。
【００９６】
さらに、上述した本発明の実施形態では、連携元動作状態Ｃ１には、種類Ｃ１２や設置
位置Ｃ１３が含まれており、連携先動作内容Ｃ２には、種類Ｃ２２や設置位置Ｃ２３が含
まれていたが、種類Ｃ１２、設置位置Ｃ１３、種類Ｃ２２及び設置位置Ｃ２３は、必ずし
も連携元動作状態Ｃ１や連携先動作内容Ｃ２に含まれていなくてもよい。
【００９７】
また、上述した本発明の実施形態では、ホームネットワーク専用端末５０が、ホームネ
ットワーク１に接続される形態としたが、ホームネットワーク専用端末５０の機能を、連
携先動作内容設定部として、ホームサーバ３０が具備するようにしてもよい。
【００９８】
さらに、動作連携情報Ｄ２（連携先動作内容Ｃ２）の内容は、必ずしもユーザによって
設定できなくても構わない。
【００９９】
また、上述した本発明の実施形態では、機器データベースＤＢ１がホームサーバ３０に
記憶されていたが、機器データベースＤＢ１は、関連するデータベースのみを各機器に記
憶させるようにしてもよい。この場合、ホームネットワーク専用端末５０は、ホームサー
バ３０に代えて、各機器からデータベースの内容を取得する。
【０１００】
さらに、機器データベースＤＢ１または動作連携情報Ｄ２は、ホームサーバ３０ではな
く、他のサーバ、例えば、ホームネットワーク１及びインターネットを介して接続するこ
とができる機器情報管理サーバ（不図示）に記憶する形態としてもよい。
【０１０１】
このように、本発明は、ここでは記載していない様々な実施の形態などを含むことは勿
論である。したがって、本発明の技術的範囲は、上述の説明から妥当な特許請求の範囲に
係る発明特定事項によってのみ定められるものである。
【図面の簡単な説明】
【０１０２】
【図１】本発明の実施形態に係る機器動作連携システムの概略構成図である。
【図２】本発明の実施形態に係る機器動作連携システムの論理ブロック構成図である。
【図３】本発明の実施形態に係る機器動作連携システムによる機器の連携動作のシーケンスを示す図である。
【図４】本発明の実施形態に係る動作連携情報の内容を設定する場合の動作フローである。
【図５】本発明の実施形態に係る動作状態情報の一例を示す図である。
【図６】本発明の実施形態に係る動作連携情報の一例を示す図である。
【図７】本発明の実施形態に係る制御情報の一例を示す図である。
【図８】本発明の実施形態に係る機器データベースの一例を示す図である。
【符号の説明】
【０１０３】
１…ホームネットワーク、１０…遠隔操作端末、２０…ＴＶ受像機、３０…ホームサーバ
、４０…ビデオレコーダ、５０…ホームネットワーク専用端末、６１，６２…照明器具、
１０１…操作キー部、１０３…制御部、１０５…赤外線信号送信部、２０１…赤外線信号
受信部、２０３…操作キー部、２０５…制御部、２０７…送受信部、３０１…送受信部、
３０３…記憶部、３０５…制御部、４０１…受信部、４０３…制御部、５０１…送受信部
、５０３…表示部、５０５…操作キー部、５０７…設定部、Ｄ１…動作状態情報、Ｄ２…
動作連携情報、Ｄ３…制御情報、ＤＢ１…機器データベース
【図１】
2006101283.tif 000003
【図２】
2006101283.tif 000004
【図３】
2006101283.tif 000005
【図４】
2006101283.tif 000006
【図５】
2006101283.tif 000007
【図６】
2006101283.tif 000008
【図７】
2006101283.tif 000009
【図８】
2006101283.tif 000010